(57)【要約】【課題】あらゆるペットを簡単かつ容易に、しかも動かない状態に保定する。【解決手段】ペット用の保定具は、上下の下筒２と上筒３に分解でき、かつペットの胴体を入れる状態で変形しない強度の筒状となる保定筒１と、この保定筒１の下筒２と上筒３を脱着自在に連結する連結具４とを備える。保定筒１は、下筒２と上筒３の境界に、ペットの足を入れる挿入部５を設けている。保定具は、下筒２と上筒３とを分離する状態で挿入部５に足を入れ、下筒２と上筒３とを連結具４で連結して、保定筒１でペットを保定する。【選択図】図４
2008212540.tif 000002
【特許請求の範囲】
【請求項１】
上下の下筒(2)、(22)と上筒(3)、(23)に分解でき、かつペットの胴体を入れる状態で変形しない強度の筒状となる保定筒(1)、(21)と、この保定筒(1)、(21)の下筒(2)、(22)と上筒(3)、(23)を脱着自在に連結する連結具(4)とを備え、保定筒(1)、(21)は下筒(2)、(22)と上筒(3)、(23)の境界にはペットの足を入れる挿入部(5)を設けており、下筒(2)、(22)と上筒(3)、(23)とを分離する状態で挿入部(5)に足を入れ、下筒(2)、(22)と上筒(3)、(23)とを連結具(4)で連結して、保定筒(1)、(21)でペットを保定するようにしてなるペット用の保定具。
【請求項２】
保定筒(1)、(21)が、下筒(2)、(22)と上筒(3)、(23)を連結した状態で円筒状である請求項１に記載されるペット用の保定具。
【請求項３】
保定筒(1)が、下筒(2)と上筒(3)の境界にペットの四つ足を入れる挿入部(5)を設けている請求項１に記載されるペット用の保定具。
【請求項４】
左右の第１筒(32)と第２筒(33)に分解でき、かつペットの胴体を入れる状態で変形しない強度の筒状となる保定筒(31)と、この保定筒(31)の第１筒(32)と第２筒(33)を脱着自在に連結する連結具(4)とを備え、保定筒(31)は第１筒(32)と第２筒(33)に、ペットの足を入れる挿入部(35)を設けており、第１筒(32)と第２筒(33)とを分離する状態で挿入部(35)に足を入れ、第１筒(32)と第２筒(33)とを連結具(4)で連結して、保定筒(31)でペットを保定するようにしてなるペット用の保定具。
【請求項５】
保定筒(21)が、ペットの前足を挿入する挿入部(5)を備える前足保定筒(21A)と、後ろ足を挿入する挿入部(5)を備える後足保定筒(21B)とからなる請求項１又は４に記載される保定具。
【請求項６】
保定筒(1)を装着する固定台(7)、(17)と、この固定台(7)、(17)に保定筒(1)を固定する固定具(8)、(18)とを備え、ペットを入れた保定筒(1)を固定具(8)、(18)で固定台(7)、(17)に固定してペットを保定する請求項１又は４に記載されるペット用の保定具。
【請求項７】
保定筒(1)、(21)、(31)に治療用の貫通孔(6)を設けている請求項１ないし６のいずれかに記載されるペット用の保定具。
【請求項８】
保定筒(1)、(21)、(31)が、硬質のプラスチック発泡体である請求項１ないし７のいずれかに記載されるペット用の保定具。
【発明の詳細な説明】
【技術分野】
【０００１】
本発明は、主として動物病院で使用されるネコや犬などのペットを治療するときに保定する保定具に関する。
【背景技術】
【０００２】
動物病院で、ネコ等のペットに注射をし、あるいは採血し、あるいは又エコーや透析等の治療をするとき、ペットを動かない状態に保定する必要がある。この用途に使用される保定具は開発されている。（特許文献１参照）
【特許文献１】特開平１１−３３０４８号公報
【発明の開示】
【発明が解決しようとする課題】
【０００３】
特許文献１に記載される保定具を図１と図２に示す。図１は保定具の展開図、図２は使用状態を示す斜視図である。この保定具は、ナイロンなどの化学繊維からなる網材２１でペットの胴体を囲んで保定する。網材９１は、その網目９２の大きさをペットの四つ足を入れることができる大きさとしている。ペットは一般に前足が細く、後ろ足が太いので、網材９１は前部の網目９２Ａを後部の網目９２Ｂよりも小さくしている。この保定具は、網目９２にペットの四つ足を入れた後、網材９１でペットの胴体をくるんで両側を連結して保定する。ただ、この保定具は、簡単にペットを保定するのが難しい。それは、自由に動くペットの四つ足を網目９２に入れるのに手間がかかり、さらにこの状態で動き回るペットの胴体をくるんで両側を連結するからである。また、この保定具は、網材の網目に四つ足を入れて保定するので、保定する状態で胴体を動かない状態に保定できない欠点もある。保定しているペットが動くと、エコーや注射などの治療を能率良くできない。
【０００４】
本発明は、この欠点を解決することを目的に開発されたものである。本発明の重要な目的は、あらゆるペットを簡単かつ容易に、しかも動かない状態に保定できるペット用の保定具を提供することにある。
【課題を解決するための手段】
【０００５】
本発明のペット用の保定具は、前述の目的を達成するために以下の構成を備える。
本発明の請求項１のペット用の保定具は、上下の下筒２、２２と上筒３、２３に分解でき、かつペットの胴体を入れる状態で変形しない強度の筒状となる保定筒１、２１と、この保定筒１、２１の下筒２、２２と上筒３、２３を脱着自在に連結する連結具４とを備える。保定筒１、２１は、下筒２、２２と上筒３、２３の境界に、ペットの足を入れる挿入部５を設けている。保定具は、下筒２、２２と上筒３、２３とを分離する状態で挿入部５に足を入れ、下筒２、２２と上筒３、２３とを連結具４で連結して、保定筒１、２１でペットを保定する。
【０００６】
本発明の請求項２のペット用の保定具は、請求項１の構成に加えて、保定筒１、２１を、下筒２、２２と上筒３、２３を連結した状態で円筒状となる形状としている。
【０００７】
本発明の請求項３のペット用の保定具は、請求項１の構成に加えて、保定筒１が、下筒２と上筒３の境界に、ペットの四つ足を入れる挿入部５を設けている。
【０００８】
本発明の請求項４のペット用の保定具は、左右の第１筒３２と第２筒３３に分解でき、かつペットの胴体を入れる状態で変形しない強度の筒状となる保定筒３１と、この保定筒３１の第１筒３２と第２筒３３を脱着自在に連結する連結具４とを備える。保定筒３１は、第１筒３２と第２筒３３に、ペットの足を入れる挿入部３５を設けている。保定具は、第１筒３２と第２筒３３とを分離する状態で挿入部３５に足を入れ、第１筒３２と第２筒３３とを連結具４で連結して、保定筒３１でペットを保定する。
【０００９】
本発明の請求項５のペット用の保定具は、保定筒２１が、ペットの前足を挿入する挿入部５を備える前足保定筒２１Ａと、後ろ足を挿入する挿入部５を備える後足保定筒２１Ｂとからなる。
【００１０】
本発明の請求項６のペット用の保定具は、保定筒１を装着する固定台７、１７と、この固定台７、１７に保定筒１を固定する固定具８、１８とを備える。この保定具は、ペットを入れた保定筒１を固定具８、１８で固定台７、１７に固定してペットを保定する。
【００１１】
本発明の請求項７のペット用の保定具は、保定筒１、２１、３１に治療用の貫通孔６を設けている。また、本発明の請求項８のペット用の保定具は、保定筒１、２１、３１を、硬質のプラスチック発泡体としている。
【発明の効果】
【００１２】
本発明のペット用の保定具は、簡単かつ容易に、しかもペットを動かないようにしっかりと保定できる。それは、本発明の保定具が、上下あるいは左右に互いに分解でき、かつペットの胴体を入れて変形しない保定筒と、分解された保定筒を脱着自在に連結する連結具とを備え、分解された保定筒の各々の挿入部にペット足を入れて、保定筒を連結具で連結して、保定筒でペットをしっかりと保定するからである。
【００１３】
とくに、本発明の請求項１の保定具は、保定筒を上下の下筒と上筒に分解すると共に、下筒と上筒の境界にペットの足を入れる挿入部を設けているので、この挿入部にペットの足をスムーズに無理なく案内しながら、下筒と上筒とを連結できる特徴がある。
【００１４】
さらに、本発明の請求項２の保定具は、請求項１の構成に加えて、下筒と上筒を連結してなる保定筒を円筒状とするので、プラスチック等を円筒状に成形し、これを２分割して簡単に製造できる。また、円筒状の保定筒で、ペットの胴体を無理なくしっかりと保定できる特徴もある。
【００１５】
また、本発明の請求項３の保定具は、請求項１の構成に加えて、保定筒には、下筒と上筒の境界にペットの四つ足を入れる挿入部を設けているので、ペットを保定筒から抜けない状態でしっかりと保定できる特徴がある。
【００１６】
さらに、本発明の請求項５の保定具は、保定筒が、ペットの前足を挿入する挿入部を備える前足保定筒と、後ろ足を挿入する挿入部を備える後足保定筒とからなるので、ペットの前後の足を前足保定筒と後足保定筒とで別々に保定できる。とくに、この保定具は、胴体の前足部と後足部の太さが異なるペットであっても、各々の太さに合った保定筒を装着して確実に保定できる特徴がある。
【００１７】
さらにまた、本発明の請求項６の保定具は、保定筒を装着する固定台と、この固定台に保定筒を固定する固定具とを備えており、ペットを入れた保定筒を固定具で固定台に固定してペットを保定するので、ペットを固定台に安定して固定した状態で、注射やエコーなどの治療を、安全かつ確実に処置できる。
【００１８】
また、本発明の請求項７の保定具は、保定筒に治療用の貫通孔を設けているので、保定筒でペットを保定しながら、注射やエコーなどの治療を、確実にしかも安全に処置できる特徴がある。
【００１９】
さらにまた、本発明の請求項８の保定具は、保定筒を硬質のプラスチック発泡体で製作するので、安価に多量生産しながら、保定筒を軽くできる特徴がある。
【発明を実施するための最良の形態】
【００２０】
以下、本発明の実施例を図面に基づいて説明する。ただし、以下に示す実施例は、本発明の技術思想を具体化するためのペット用の保定具を例示するものであって、本発明は保定具を以下のものに特定しない。
【００２１】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２２】
図３と図４に示すペット用の保定具は、上下の下筒２と上筒３に分解でき、かつペットの胴体を入れる状態で変形しない強度の筒状となる保定筒１と、この保定筒１の下筒２と上筒３を脱着自在に連結する連結具４とを備える。
【００２３】
図の保定具は、下筒２に上筒３を連結する状態で円筒状としている。下筒２と上筒３は、円筒を長手方向に切断してなる半円筒状としている。この保定筒１は、ペットの胴体を無理なく保定できる。保定筒１の内形は、保定するペットの胴体の外形にほぼ等しくしている。大きくて胴体の太いペットの保定筒は内形を大きく、また小さくて胴体が細いペットの保定筒は内形を小さくする。半円筒状の下筒２と上筒３は、プラスチックを円筒状に成形し、これを長手方向に分離して製作できる。この保定筒１は、たとえばプラスチックを円筒状に成形して、これを長手方向にふたつに分割して製作できる。この保定筒１は、硬質のプラスチック発泡体を、たとえば５ｍｍないし２０ｍｍの厚さの円筒状に成形し、これを長手方向に切断して簡単に、安価に製作できる。プラスチック発泡体で製作される下筒２と上筒３は、上縁と下縁を切除して凹部を設け、簡単に挿入部５を設けることができる。ただ、挿入部は、貫通孔とすることもできる。さらに、プラスチック発泡体からなる下筒２と上筒３は、内面や外面に、あるいは表面の全体にアルミニウム箔などの表面シートを付着して、表面を綺麗に仕上げることもできる。また、ペットの毛が下筒２や上筒３に付着するを防止でき、さらに簡単に表面を払拭して衛生的に使用できる。さらに、プラスチック発泡体からなる保定筒１は、軽くできる特徴もある。
【００２４】
ただし、本発明の保定具は、保定筒を必ずしも硬質のプラスチック発泡体とする必要はなく、発泡成形しないプラスチックでもって下筒や上筒を、別々に図３と図４示す形状に成形して製作することもできる。この保定筒は、下筒と上筒を、挿入部があって連結する状態では筒状となる形状に成形するので、成形後に加工する必要がなく、能率よく多量生産できる。また、下筒と上筒をペットの胴体に沿う形状に成形することもできる。プラスチック製の保定筒１は、ペットの胴体を入れる状態で変形しない強度を有する。保定筒１にペットの胴体を入れて保定するためである。ただし、本明細書において、ペットの胴体を入れて変形しない強度とは、ペットを保定できる強度を実現することを意味するものとし、ペットが強く運動して多少変形しても、ペットの保定に支障がない状態を含む意味に使用する。したがって、本発明の保定具は、保定筒を、軟質ウレタンや軟質ウレタン、あるいはシリコンゴムなどの軟質プラスチックやゴム状弾性体で成形することもできる。ただし、軟質プラスチックやゴム状弾性体で成形される保定筒は、ペットが強く運動しても、その動きを制限して保定できる厚さと強度に成形される。
【００２５】
保定筒１は、下筒２と上筒３を連結する状態で必ずしも円筒状とする必要はない。たとえば、図示しないが下筒と上筒を曲率半径が異なる溝型に成形することもできる。さらに、下筒と上筒の前後で曲率半径が異なる溝型に成形することもできる。下筒２と上筒３の両方を溝型に成形する保定筒１は、境界に凹部を設けると共に、この凹部を挿入部５としてペットの足をスムーズに無理なく案内できる。ただし、保定具は、下筒を溝型に成形して、上筒を平面状に成形することもできる。この保定筒は、下筒に深い凹部を設けて挿入部とし、ペットの足を深い凹部である挿入部に案内して下筒に上筒を連結する。
【００２６】
図の保定筒１は、下筒２と上筒３の境界に、ペットの四つ足を入れる挿入部５を設けている。この保定筒１は、四つ足を凹部である挿入部５に入れてペットの胴体を保定筒１で保定するので、ペットを最も安定して動かないように保定できる特徴がある。ただ、本発明の保定具は、保定筒に、必ずしもペットの四つ足を入れる挿入部を設ける必要はなく、ペットの前足のみを挿入する挿入部を設け、あるいは後ろ足のみを挿入する挿入部を設けることもできる。
【００２７】
図５に示す保定具は、保定筒２１を、ペットの前足部を保定する前足保定筒２１Ａと、後足部を保定する後足保定筒２１Ｂとに分割している。前足保定筒２１Ａは、ペットの前足を挿入する挿入部５を備えており、後足保定筒２１Ｂは、後ろ足を挿入する挿入部５を備えている。この保定筒２１も、前足保定筒２１Ａと後足保定筒２１Ｂとを、上下の上筒２３と下筒２２とに分解できる構造としており、上筒２３と下筒２２とを連結した状態で円筒状となるようにしている。さらに、この図に示す保定筒２１は、前足保定筒２１Ａよりも後足保定筒２１Ｂを太く成形している。この保定筒２１は、前足部よりも太い後足部に、太い後足保定筒２１Ｂを無理なく装着できる。さらに、前足保定筒と後足保定筒からなる保定筒は、前足保定筒と後足保定筒とを異なる形状とすることもできる。この保定筒は、前足保定筒と後足保定筒とを、ペットの体型に応じて各々最適な形状に成形して、ペットに無理なく装着できる。ただ、前足保定筒と後足保定筒は、同じ太さ太さとし、あるいは同じ形状とすることもできる。以上のように、前足保定筒２１Ａと後足保定筒２１Ｂとからなる保定筒２１は、ペットの前足部と後ろ足部とに前足保定筒２１Ａと後足保定筒２１Ｂとを別々に装着して保定するので、胴体の長さが異なるペットや、胴体の前後で太さや形状が異なるペットであっても、無理なく確実に装着して保定できる特徴がある。
【００２８】
図３と図４に示す保定筒１は、下筒２にはペットの前足と後ろ足を入れる挿入部５を設けて、上筒３には後ろ足を入れる挿入部５のみを設けている。また、図５に示す保定筒２１は、前足保定筒２１Ａの下筒２２にのみペットの足を入れる挿入部５を設けて、後足保定筒２１Ｂは上筒２３と下筒２２の両方に、足を入れる挿入部５を設けている。ペットは、前足よりも後ろ足が太い。これらの図の保定筒１、２１は、太い後ろ足を、下筒２、２２と上筒３、２３の両方に設けた挿入部５に案内できる。ただし、本発明の保定具は、下筒にのみ挿入部を設け、あるいは上筒にのみ挿入部を設けることもできる。下筒に挿入部を設けた保定筒は、ペットを簡単に保定できる特徴がある。それは、上筒を分離する下筒の挿入部にペットの足を入れるようにして、胴体を下筒に載せ、この状態で下筒に上筒を連結してペットを保定できるからである。
【００２９】
保定筒１、２１の全体の長さは、ペットの胴体の長さにほぼ等しく、あるいは胴体よりも長くしている。保定筒１、２１は、図３と図５に示すように、頭を出して胴体のほぼ全体を保定できる長さとする。保定筒１は、ペットの胴体を保定する状態で、ペットの足を出す位置に挿入部５を設けている。さらに、図５に示すように、前足保定筒２１Ａと後足保定筒２１Ｂとに分割される保定筒２１は、必ずしも胴体の全体を覆うことなく、前足保定筒２１Ａと後足保定筒２１Ｂの間の部分を表出させることもできる。この保定具は、前足保定筒２１Ａと後足保定筒２１Ｂの境界部分から、前足と後ろ足の間の部分である腹部や背中を表出させて、この部分から診察や治療できる。
【００３０】
保定筒１、２１は、治療用の貫通孔６を設けて、この貫通孔６から保定するペットに注射をし、あるいはエコーなどの検査をすることもできる。図３と図４の保定筒１は、上筒３に貫通孔６を設けており、図５の保定筒２１は、後足保定筒２１Ｂの上筒２３に貫通孔６を設けている。この保定具は、保定筒１、２１でペット保定しながら背中に簡単に注射できる。貫通孔６から注射できるからである。また、保定筒は、下筒に貫通孔を設けて、この貫通孔から保定するペットの心臓や腹部をエコーで簡単に正確に検査することもできる。
【００３１】
連結具４は、下筒２、２２と上筒３、２３を脱着自在に連結するもので、マジックテープ（登録商標）のように、押圧して付着でき、また引っ張って分離できる脱着テープが便利に使用できる。図３と図４の保定具は、上筒３の両端部と中間部の３カ所において、その両側に脱着テープを連結している。図５の保定具は、前足保定筒２１Ａと後足保定筒２１Ｂの境の上筒２３の両端部の両側に脱着テープを連結している。この脱着テープは、下筒２、２２の表面に設けている脱着部に脱着自在に連結される。この連結具４は、ペットを下筒２、２２に入れる状態で上筒３、２３を載せて簡単に下筒２、２２に連結する状態に固定できる。ただし、本発明の保定具は、連結具を脱着テープに特定しない。連結具には、下筒と上筒の境界に設けた永久磁石なども使用できる。永久磁石の連結具で連結する下筒と上筒は、互いに当接面となる下筒の上面と上筒の下面に、互いに定位置に嵌着できる嵌着凹凸を設けて、この嵌着凹凸で定位置に連結して、永久磁石で吸着して連結する構造とする。また、連結具には、下筒と上筒の一方にフックを設け、このフックを連結する係止部を他方に設ける構造とすることもできる。この保定筒は、フックを外して下筒と上筒を分離し、ペットを保定筒に入れる状態でフックで下筒と上筒を連結する。
【００３２】
以上の保定筒１、２１は、上筒２、２２と下筒３、２３とを上下に分割できる構造としている。ただ、保定筒は、図６と図７に示すように、左右に分割できる構造とすることもできる。これらの図に示す保定筒は、左右に分割してなる第１筒３２と第２筒３３とで構成しており、これらを互いに連結して円筒状の保定筒３１を構成している。第１筒３２と第２筒３３は、ペットの足を外部に表出させる挿入部３５を備える。図に示す挿入部３５は、貫通孔である。貫通孔である挿入部３５は、前足を入れる挿入部３５よりも後ろ足を入れる挿入部３５の方を大きくしている。ただ、第１筒と第２筒に設ける挿入部は、凹部とすることもできる。凹部である挿入部は、図の鎖線で示すように、左右の第１筒と第２筒の連結端縁に開口することができる。
【００３３】
以上の保定具は、保定筒１、２１、３１にペットを入れる状態で、安定してペットを検査し、また治療できる。さらに、本発明の保定具は、図８ないし図１０に示すように、固定台７、１７にペットを入れた保定筒１を固定して、ペットを固定台７、１７に保定する状態でペットを検査し、また治療することもできる。これらの図に示す保定具は、保定筒１を装着する固定台７、１７と、この固定台７、１７に保定筒１を固定する固定具８、１８とを備える。
【００３４】
固定台７、１７は、全体の形状を略直方体としており、ペットを入れた保定筒１を上面または側面に装着できるようにしている。これらの固定台７、１７は、ペットを入れた保定筒１を安定して支持できる大きさと重量を有する。保定筒１を固定した状態で、ペットが暴れても倒れることなく、安定して自立させるためである。ただ、固定台は、必ずしもそれ自体が安定して支持できる大きさと重さを有する必要はなく、柱、壁、床等の建物の一部に連結して固定することも、診療台や机等の大きくて重量のある什器に連結して固定することもできる。したがって、固定台７、１７は、保定筒１を固定する状態で、ペットが暴れる等しても、安定して支持できる状態で配置される。
【００３５】
さらに、固定台７、１７は、保定筒１を所定の位置に固定する固定具８、１８を備える。固定具８、１８には、連結ベルトや連結紐、固定金具等のように、保定筒１を安定して固定台７、１７に固定できる種々の部材が使用できる。図８ないし図１０に示す固定具８、１８は、脱着自在に連結できる一対の連結ベルト８Ａ、１８Ａを備えている。一対の連結ベルト８Ａ、１８Ａは、各々の一端を固定台７、１７の両側に位置して固定すると共に、他端には、互いに連結できるように、脱着連結具９、１９を設けている。図８と図９の脱着連結具９は、マジックテープ（登録商標）等の脱着テープ９Ａである。一対の連結ベルト８Ａは、脱着テープ９Ａを互いに積層して連結する状態で、固定台７に装着された保定筒１に巻き付けできる長さを有する。この構造の連結ベルト８Ａは、脱着テープ９Ａを介して簡単に脱着できるので、保定筒１を固定台７に固定する作業を簡単にできる。また、図１０に示す脱着連結具１９は、連結ベルト１８Ａの連結位置を変更できるように、一方の連結ベルト１８Ａの連結部に位置決孔１８ａを設けて、他方の連結ベルト１８Ａの先端にはバックル１９Ｂを設けている。この脱着連結具１９は、連結ベルト１８Ａの連結位置を変更できるので、例えば、太さの異なる保定筒であっても、安定して固定台に固定できる。ただ、連結ベルトを脱着テープで連結する固定具も、脱着テープ部分を長くして、連結ベルトの連結位置を変更することができる。さらに、連結ベルトを脱着自在に連結する脱着連結具には、フック部を有する第１連結具と係止部を有する第２連結具とからなる脱着連結具を使用することも、また、ホックやフック等の脱着連結具を介して脱着自在に連結することもできる。
【００３６】
図８と図９に示す保定具は、ペットを入れた保定筒１を、固定台７の上面に配置できる構造としている。この保定具は、たとえば、小型犬や猫等の小型のペットを入れた保定筒１を、固定台７の上面に固定して使用する。図８の固定台７は、円筒状の保定筒１を安定して支持できるように、上面に中央凹となる形状の保持面７Ａを設けている。図に示す保持面７Ａは、円筒状の保定筒１の下面に沿う湾曲面としている。ただ、保持面は、必ずしも湾曲面とする必要はなく、保定筒を保持できる溝型とすることもできる。図８と図９に示す保定具は、保定筒１に入れたペットを水平の姿勢に安定して保定しながら、確実かつ安全に診察できる。
【００３７】
また、図１０に示す保定具は、ペットを入れた保定筒１を、固定台１７の側面に連結する構造としている。この保定具は、たとえば、大型犬のような大型のペットを入れた保定筒１を、固定台１７の側面に固定して使用する。この固定台１７も、図示しないが、円筒状の保定筒１を安定して支持できるように、側面に中央凹となる形状の保持面を設けることができる。この保定具は、保定筒１に入れたペットを立たせる状態で保定して保定しながら、確実かつ安全に診察できる。さらに、図１０に示す保定具は、保定筒１を垂直姿勢で固定台１７の側面に固定するために、連結ベルト１８Ａを挿通する挿通部１０を保定筒１の側面に設けている。この保定具は、連結ベルト１８Ａを挿通部１０に挿入する状態で連結して、保定筒１を落下しないように、固定台１７の側面に安定して固定できる。
【図面の簡単な説明】
【００３８】
【図１】従来のペットの保定具の展開図である。
【図２】図１に示すペット用の保定具の使用状態を示す斜視図である。
【図３】本発明の一実施例にかかるペット用の保定具の使用状態を示す斜視図である。
【図４】図３に示すペット用の保定具の分解斜視図である。
【図５】本発明の他の実施例にかかるペット用の保定具の使用状態を示す斜視図である。
【図６】本発明の他の実施例にかかるペット用の保定具の分解斜視図である。
【図７】図６に示すペット用の保定具の底面斜視図である。
【図８】本発明の他の実施例にかかるペット用の保定具を示す分解斜視図である。
【図９】図８に示すペット用の保定具の使用状態を示す側面図である。
【図１０】本発明の他の実施例にかかるペット用の保定具の使用状態を示す側面図である。
【符号の説明】
【００３９】
１…保定筒
２…下筒
３…上筒
４…連結具                ４Ａ…脱着テープ
５…挿入部
６…貫通孔
７…固定台                ７Ａ…保持面
８…固定具                ８Ａ…連結ベルト
９…脱着連結具            ９Ａ…脱着テープ
１０…挿通部
１７…固定台
１８…固定具              １８Ａ…連結ベルト
１８ａ…位置決孔
１９…脱着連結具          １９Ａ…バックル
２１…保定筒              ２１Ａ…前足保定筒
２１Ｂ…後足保定筒
２２…下筒
２３…上筒
３１…保定筒
３２…第１筒
３３…第２筒
３５…挿入部
９１…網材
９２…網目                ９２Ａ…前部の網目
９２Ｂ…後部の網目
【図１】
2008212540.tif 000003
【図２】
2008212540.tif 000004
【図３】
2008212540.tif 000005
【図４】
2008212540.tif 000006
【図５】
2008212540.tif 000007
【図６】
2008212540.tif 000008
【図７】
2008212540.tif 000009
【図８】
2008212540.tif 000010
【図９】
2008212540.tif 000011
【図１０】
2008212540.tif 000012